(57)【特許請求の範囲】
【請求項１】
本体と、
固形粒子を含み、該本体における第１の領域の上に配置された固定層、及び、該固定層の上に配置された反射層、を含む第１の構造体と、
前記本体における第２の領域の上に配置された固定層、及び、該固定層の上に配置された反射層、を含む第２の構造体であって、前記固定層の厚みと前記反射層の厚みとの合計が前記第１の構造体に含まれた前記固形粒子の高さ方向の粒径よりも小さくなっている、第２の構造体と、
を具備する釣竿。
【請求項２】
前記第１の構造体に含まれた前記反射層と前記第２の構造体に含まれた前記反射層とを連続的に覆うクリアー層をさらに具備する、請求項１に記載の釣竿。
【請求項３】
前記第２の構造体は固形粒子を含まない、請求項１又は請求項２に記載の釣竿。
【請求項４】
本体の上に設けられた表面構造体であって、
固形粒子を含み、該本体における第１の領域の上に配置された固定層、及び、該固定層の上に配置された反射層、を含む第１の構造体と、
前記本体における第２の領域の上に配置された固定層、及び、該固定層の上に配置された反射層、を含む第２の構造体であって、前記固定層の厚みと前記反射層の厚みとの合計が前記第１の構造体に含まれた前記固形粒子の高さ方向の粒径よりも小さくなっている、第２の構造体と、
を具備する表面構造体。
【発明の詳細な説明】
【技術分野】
【０００１】
本発明は、釣竿、リール、クーラーボックス、ルアー等の釣具、及び、ゴルフクラブシャフト等のゴルフ用品等を含む工業製品の表面に形成される表面構造体に関する。
【背景技術】
【０００２】
釣具等の工業製品の表面に形成される表面構造体としては、特開平８−８４５４７号公報（特許文献１）に記載されたものが知られている。かかる表面構造体は、釣具の本体の上に形成された下地層と、この下地層の上に配置された被膜と、この被膜に含まれた複数の有色粒子と、を含む。
【先行技術文献】
【特許文献】
【０００３】
【特許文献１】特開平８−８４５４７号公報
【発明の概要】
【発明が解決しようとする課題】
【０００４】
しかしながら、上記文献に記載された表面構造体にあっては、被膜は、この被膜の中に各有色粒子が完全に埋もれるように全体にわたって十分な厚みを有するものとして形成されている。よって、或る有色粒子を覆う被膜の表面部分の高さと、これに隣接し何ら有色粒子を含まない被膜の表面部分の高さとの差が、小さなものとならざるをえない。この結果、上記文献に開示された表面構造体は、乏しい立体感・奥行感しか表現することができない。
【０００５】
そこで、本実施の形態により、豊かな立体感・奥行感を表現する表面構造体を提供する。
【課題を解決するための手段】
【０００６】
一実施形態に係る釣竿は、本体と、固形粒子を含み、該本体における第１の領域の上に配置された固定層、及び、該固定層の上に配置された反射層、を含む第１の構造体と、前記本体における第２の領域の上に配置された固定層、及び、該固定層の上に配置された反射層、を含む第２の構造体であって、前記固定層の厚みと前記反射層の厚みとの合計が前記第１の構造体に含まれた前記固形粒子の粒径よりも小さくなっている、第２の構造体と、を具備する。
一実施形態に係る表面構造体は、本体の上に形成される表面構造体であって、固形粒子を含み、前記本体における第１の領域の上に配置された固定層、及び、該固定層の上に配置された反射層、を含む第１の構造体と、前記本体における第２の領域の上に配置された固定層、及び、該固定層の上に配置された反射層、を含む第２の構造体であって、前記固定層の厚みと前記反射層の厚みとの合計が前記第１の構造体に含まれた前記固形粒子の粒径よりも小さくなっている、第２の構造体と、を具備する。
【発明の効果】
【０００７】
本実施の形態により、豊かな立体感・奥行感を表現する表面構造体を提供することができる。
【図面の簡単な説明】
【０００８】
【図１】図１は、本発明の一実施形態に係る表面構造体の構成を模式的に示す断面図である。
【図２】図２は、本発明の一実施形態に係る表面構造体の製造方法を示すフロー図である。
【図３】図３は、従来技術に係る手法を用いて形成された表面構造体の構成を模式的に示す断面図である。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
以下、本実施形態に係る表面構造体が工業製品の１つである釣竿の表面の上に形成される場合について説明するが、本実施形態に係る表面構造体は、釣具及びゴルフ用品等を含むあらゆる工業製品に適用可能なものである。
【００１１】
図１は、本発明の一実施形態に係る表面構造体の構成を模式的に示す断面図である。
図示のように、表面構造体１００は、釣竿本体１０の上に配置された固形粒子１１０と、固形粒子１１０の上（及び固形粒子１１０の下）に配置された樹脂層１２０と、樹脂層１２０の上に配置された反射層１３０と、を含む。なお、表面構造体１００は、釣竿本体１０の延設方向に沿って延び、反射層１３０を連続的に覆うクリアー層１４０を含んでいてもよい。
【００１２】
固形粒子１１０は、反射層１３０と釣竿本体１０との間に位置することによって、反射層１３０の表面を高くするように作用する。これにより、反射層１３０は、その下方に固形粒子１１０が存在する部分と、その下方に固形粒子１１０が存在しない部分との間に、高さの差を生じさせたものとなる。固形粒子１１０としては、例えば、粒径約２５μｍのホログラムチップ（アルミ蒸着ポリエステルフィルムを細かくカットした顔料）や粒径約８０〜９０μｍのメタシャイン（ガラスフレークの表面をメッキで被覆した顔料）を用いることができる。
【００１３】
樹脂層１２０は、固形粒子１１０を釣竿本体１０の上に固定（目止め）するために用いられるもの、すなわち、固定層として機能するものである。樹脂層１２０を構成する材料としては、例えば、エポキシ系又はウレタン系等の透明又は半透明の合成樹脂を用いることができる。合成樹脂は無色であることが好ましい。なぜならば、この合成樹脂は、後述するように、固形粒子１１０と混ぜられた状態で本体１０の上にガン吹きにより付与されるものであるところ、合成樹脂が無色であれば、固形粒子１１０の配置状態（バラツキ具合）を確認しながら、ガン吹きを行うことができるからである。
【００１４】
反射層１３０は、その上方から到来した光を乱反射させるように機能するものである。この反射層１３０は、合成樹脂と光輝性を有する粒子とを混ぜ合わせたものにより構成される。合成樹脂としては、エポキシ系又はウレタン系等の透明又は半透明の合成樹脂を用いることができる。光輝性を有する粒子としては、金、銀、アルミニウム、アルミニウム合金、マグネシウム、銅、錫、クロム、コバルト、黄銅、鉄、ステンレス、ニッケル、亜鉛等からなる薄い箔状のものを用いることができる。このような材料により形成された合成樹脂と光輝性を有する粒子との混合物は、樹脂層１２０の上に付与されたときには、図１に示したように、樹脂層１２０の表面に追従するように樹脂層１２０を覆う。
【００１５】
クリアー層１４０は、選択的に用いられるものであって、カラークリアー等により構成されるものである。
【００１６】
表面構造体１００は、釣竿本体１０の延設方向に沿って全体的に均一な構造を有するものではなく、不均一な構造を有するものである。具体的には、例えば、釣竿本体１０における第１の領域Ｒ１に着目すると、この第１の領域Ｒ１の上には、第１の構造体Ｓ１が形成されている。この第１の構造体Ｓ１は、釣竿本体１０における第１の領域Ｒ１の上に配置された固形粒子１１０と、この固形粒子１１０の上に配置された樹脂層１２０と、この樹脂層１２０の上に配置された反射層１３０と、を含む。
【００１７】
次に、釣竿本体１０における第２の領域Ｒ２に着目すると、この第２の領域Ｒ２の上には、第２の構造体Ｓ２が形成されている。この第２の構造体Ｓ２は、釣竿本体１０における第２の領域Ｒ２の上に配置された樹脂層１２０と、この樹脂層１２０の上に配置された反射層１３０と、を含む。ここで注目すべきであるのは、第２の構造体Ｓ２における樹脂層１２０の厚みと反射層１３０の厚みとの合計Ｔ２が、第１の構造体Ｓ１に含まれた固形粒子１１０の粒径Ｒ（後述する第３の構造体Ｓ３及び第４の構造体Ｓ４のそれぞれに含まれる固形粒子１１０の粒径Ｒ）よりも小さくなっている、ということである。これにより、第１の構造体Ｓ１における固形粒子１１０及び樹脂層１２０の上にある反射層１３０の表面の高さと、第２の構造体Ｓ２における樹脂層１２０の上にある反射層１３０の表面の高さとの間に、大きな差が生ずる。したがって、人間の眼は、第１の構造体Ｓ１における反射層１３０の表面と、第２の構造体Ｓ２における反射層１３０の表面との間に、立体感・奥行感を感じることができる。
【００１８】
次に、釣竿本体１０における第３の領域Ｒ３に着目すると、この第３の領域Ｒ３の上には、第３の構造体Ｓ３が形成されている。この第３の構造体Ｓ３は、釣竿本体１０における第３の領域Ｒ３の上に配置された樹脂層１２０と、この樹脂層１２０の上に配置された固形粒子１１０と、この固形粒子１１０の上に配置された樹脂層１２０と、この樹脂層１２０の上に配置された反射層１３０と、を含む。この第３の構造体Ｓ３が、第１の構造体Ｓ１と異なるのは、釣竿本体１０における第３の領域Ｒ３と固形粒子１１０との間に樹脂層１２０が存在している、ということである。
【００１９】
次に、釣竿本体１０における第４の領域Ｒ４に着目すると、この第４の領域Ｒ４の上には、第４の構造体Ｓ４が形成されている。この第４の構造体Ｓ４は、第３の構造体Ｓ３と類似した構造を有する。すなわち、この第４の構造体Ｓ４は、釣竿本体１０における第４の領域Ｒ４の上に配置された樹脂層１２０と、この樹脂層１２０の上に配置された固形粒子１１０と、この固形粒子１１０の上に配置された樹脂層１２０と、この樹脂層１２０の上に配置された反射層１３０と、を含む。この第４の構造体Ｓ４が、第３の構造体Ｓ３と異なるのは、この第４の構造体Ｓ４における第４の領域Ｒ４と固形粒子１１０との間にある樹脂層１２０の厚みが、第３の構造体Ｓ３における第３の領域Ｒ３と固形粒子１１０との間にある樹脂層１２０の厚みよりも大きい、ということである。
【００２０】
また、釣竿本体１０における第５の領域Ｒ５に着目すると、この第５の領域Ｒ５の上には、第５の構造体Ｓ５が形成されている。この第５の構造体Ｓ５は、第２の構造体Ｓ２と類似した構造を有する。すなわち、この第５の構造体Ｓ５は、釣竿本体１０における第５の領域Ｒ５の上に配置された樹脂層１２０と、この樹脂層１２０の上に配置された反射層１３０と、を含む。ここでもやはり注目すべきことは、第５の構造体Ｓ５における樹脂層１２０の厚みと反射層１３０の厚みとの合計Ｔ５が、第１の構造体Ｓ１、第３の構造体Ｓ３及び第４の構造体Ｓ４に含まれた固形粒子１１０の粒径Ｒよりも小さくなっている、ということである。これにより、人間の眼は、第１の構造体Ｓ１における反射層１３０の表面（並びに、第３の構造体Ｓ３及び第４の構造体Ｓ４のそれぞれにおける反射層１３０の表面）と、第５の構造体Ｓ５における反射層１３０の表面との間に、立体感・奥行感を感じることができる。
【００２１】
なお、上述した第１の構造体Ｓ１〜第５の構造体Ｓ５は、本実施形態に係る表面構造体１００に含まれる構造体の単なる例に過ぎない。本実施形態に係る表面構造体１００は、例えば、第３の構造体Ｓ３における固形粒子１１０の上下に配置される樹脂層１２０の厚みを増加又は減少させたものに相当する他の構造体や、第２の構造体Ｓ２における樹脂層１２０の厚みを増加又は減少させたものに相当する他の構造体等を含むことができる。いずれにしても、第２の構造体３２０（すなわち、一般化すれば、反射層１３０と釣竿本体１０との間に固形粒子１１０を含まず樹脂層１２０のみを含む構造体）の樹脂層１２０の厚みと反射層１３０の厚みとの合計を固形粒子１１０の粒径より小さくすることが好ましい。
【００２２】
次に、本実施形態に係る表面構造体１００の製造方法を図２を参照して説明する。図２は、本発明の一実施形態に係る表面構造体の製造方法を示すフロー図である。
【００２３】
まず、ステップ（以下「ＳＴ」という。）２０において、樹脂と固形粒子との混合物が用意される。例えば、この混合物は、樹脂の中に固形粒子を添加することによって作製される。ここで、固形粒子は、樹脂の重量に対して例えば約２５％の割合の重量となるように、樹脂に添加される。これは、固形粒子と樹脂との混合物を次のＳＴ２２において釣竿本体１０の表面に対して何往復もガン吹きしたときに、固形粒子が樹脂の中に完全に埋もれることを防止するためである。固形粒子の重量が樹脂の重量の約５〜約１０％程度しかない場合、本体１０の上に固形粒子を適当に分散させるためには、何往復もガン吹きをしなくてはならず、この結果、固形粒子が樹脂の中に埋もれる可能性がある。一方、固形粒子の量が多過ぎると、本体１０の上に固形粒子が密集し過ぎることになる。したがって、固形粒子の重量を樹脂の重量の約２０〜約３０％（最も好ましくは約２５％）とし、本体１０の各領域に２〜３往復ガン吹きを行うと、本体１０の上に適度に固形粒子がばらつき、かつ、樹脂層１２０の厚みと反射層１３０の厚みとの合計を固形粒子１１０の粒径よりも小さくすることができる。なお、固形粒子と樹脂との割合は、固形粒子１１０、樹脂層１２０及び反射層１３０のそれぞれを構成する材料の種類に応じて、適宜選択することが可能なものである。
また、樹脂と固形粒子との混合物を作製することに代えて、市販された当該混合物を用いてもよい。
【００２４】
次に、ＳＴ２０において作製された固形粒子と樹脂との混合物が、ＳＴ２２においてガン吹きにより釣竿本体１０の表面に付与される。これにより、釣竿本体１０の上に、固形粒子１１０を含む樹脂層１２０が形成される。この後、ＳＴ２４において、固形粒子１１０を含む樹脂層１２０に対して熱硬化処理が行われる。
【００２５】
この時点において、各固形粒子１１０は、樹脂層１２０の中に完全に埋もれることはない。すなわち、よって、樹脂層１２０の表面に着目すると、その下に固形粒子１１０が存在する部分は、その下に固形粒子１１０が存在しない部分に比べて、隆起している。
【００２６】
次に、ＳＴ２６において、合成樹脂と光輝性を有する粒子との混合物が用意される。例えば、この混合物は、合成樹脂の中に光輝性を有する粒子を添加することによって作製される。なお、合成樹脂と光輝性を有する粒子との混合物を作製することに代えて、市販された当該混合物を用いてもよい。さらに、ＳＴ２８において、合成樹脂と光輝性を有する粒子との混合物が、樹脂層１２０の上に塗布される（すなわちメタル塗装が行われる）。なお、この混合物は、メタル塗装に代えて、蒸着処理によって樹脂層１２０の上に付与されるようにしてもよい。これにより、樹脂層１２０の上に反射層１３０が付与される。この後、ＳＴ３０において、反射層３０に対する熱硬化処理が行われる。
【００２７】
この時点において、固形粒子１１０を含まない構造体（すなわち、例えば上述した第２の構造体Ｓ２や第５の構造体等）における樹脂層１２０の厚みと反射層１３０の厚みとの合計（Ｔ２、Ｔ５）は、固形粒子１１０の粒径Ｒよりも小さくなっている。
【００２８】
この後、必要に応じて、カラークリアーが、ＳＴ３２において、反射層１３０の上に塗布され、熱硬化させられることによって、クリアー層１４０が付与される。なお、このクリアー層１４０の付与は任意に実行可能なものである。なお、クリアー層１４０と反射層１３０との間に別の樹脂層を配置してもよい。この別の樹脂層は、反射層１３０の光輝性を抑えることによってつや消しという機能を果たすことができる。これにより、より顕著な陰影を出すことができる。
【００２９】
このように、本実施形態に係る表面構造体においては、固形粒子１１０を含まない構造体（例えば第２の構造体Ｓ２や第５の構造体Ｓ５等）における樹脂層１２０の厚みと反射層１３０の厚みとの合計（Ｔ２、Ｔ５）は、固形粒子１１０を含む構造体（例えば、第１の構造体Ｓ１、第３の構造体Ｓ３や第４の構造体Ｓ４等）における固形粒子１１０の粒径Ｒよりも小さくなっている。これにより、固形粒子１１０を含まない構造体における反射層１３０の表面の高さと、固形粒子１１０を含む構造体における反射層１３０の表面の高さとの間に、大きな差を確実に確保することができる。したがって、これら両方の表面の間に確保された高さの差が、人間の眼に対して立体感・奥行感を感じさせる。さらに、このように大きな高さの差を確保した反射層１３０は、光輝性を有する粒子を含むことによって、かかる粒子に到来した光を乱反射させる。このことが、人間の眼に対して、より一層豊かな立体感・奥行感を感じさせることになる。
【００３０】
本実施形態に係る表面構造体が提供する立体感・奥行感の豊かさは、先に参照した図１と図３とを比較することによっても明白である。図３は、従来技術に係る手法を用いて形成された表面構造体の構成を模式的に示す断面図である。
【００３１】
従来技術に係る手法を採用した場合には、図３に示すように、樹脂層１２０は、この樹脂層１２０の中に固形粒子１１０が完全に埋もれるように全体にわたって十分な厚みを有するものとして形成されている。よって、固形粒子１１０を含む構造体Ｓ１１における反射層１３０の表面の高さＨ１と、これに隣接し、固形粒子１１０を含まない構造体Ｓ１２における反射層１３０の表面の高さＨ２との差が、小さなものとならざるをえない。これは、構造体Ｓ１２における樹脂層１２０の厚みと反射層１３０の厚みとの合計Ｈ２が、固形粒子１１０の粒径Ｒより大きいことに起因する。このような問題は、固形粒子１１０を含まない構造体における樹脂層１２０の厚みと反射層１３０の厚みとの合計（Ｔ２、Ｔ５）を、固形粒子１１０を含む構造体における固形粒子１１０の粒径Ｒよりも小さくした、図１に示された表面構造体１００によって、解決されている。
【００３２】
なお、本実施形態では、最も好ましい構成として、反射層１３０が光輝性を有する粒子を含む構成を説明してきたが、別の実施形態では、反射層１３０は、合成樹脂のみにより形成されるものとしてもよい。
【００３３】
また、本実施形態では、最も好ましい構成として、樹脂層１２０が、固形粒子１１０を釣竿本体１０の表面の上に固定するために合成樹脂により形成される構成を説明してきたが、別の実施形態では、樹脂層１２０は、固形粒子１１０を釣竿本体１０の表面の上に固定することができる固定層として機能することができるのであれば、任意の材料により形成されてもよい。
【符号の説明】
【００３４】
１０  本体
１００  表面構造体
１１０  固形粒子
１２０  樹脂層（固定層）
１３０  反射層
１４０  クリアー層
Ｒ１  第１の領域
Ｒ２  第２の領域
Ｓ１  第１の構造体
Ｓ２  第２の構造体
Ｒ  固形粒子の粒径
【図１】
0005956779.tif 000002
【図２】
0005956779.tif 000003
【図３】
0005956779.tif 000004